(57)【特許請求の範囲】
【請求項１】
荷札を取り付けるために両端を接着して輪になるようにして使用する二つの荷札が重合された荷札重合体において、前記二つの荷札を構成するそれぞれの基材の対向する面の両端の位置に、粘着剤層と剥離層が面状に交互に形成されてなるパターンをそれぞれ設け、前記それぞれのパターンは、一方の荷札の粘着剤層と、他方の荷札の剥離層が重合し、かつ、一方の荷札の剥離層と、他方の荷札の粘着剤層が重合してなり、前記それぞれのパターンは基材の端から一定の間隔で設けられていることを特徴とする荷札重合体。
【請求項２】
前記それぞれのパターンは、荷札の長さ方向に平行に形成されていることを特徴とする請求項１に記載の荷札重合体。
【請求項３】
前記それぞれのパターンは、剥離層と粘着剤層が交互に碁盤目の形状に形成されていることを特徴とする請求項１に記載の荷札重合体。
【請求項４】
前記請求項１〜３の何れか一項に記載の荷札重合体から、二つの荷札を剥がして、分離される荷札において、該荷札がループ状の輪を形成するように、荷札の基材の両端を、前記粘着剤層同士が重合して接着可能であることを特徴とする荷札。
【発明の詳細な説明】
【技術分野】
【０００１】
本発明は、航空、運輸会社などで荷物に取り付ける荷札と、荷札重合体に関するものである。さらに詳しくは、荷札の粘着剤層を被覆する剥離紙を剥がして捨てることなく、荷札を取り付ける際に、作業性に何ら問題なく、簡単に取付けることが可能である荷札及び荷札重合体に関する。
【背景技術】
【０００２】
航空・運輸といった業界では、荷物などを運ぶ際に、各種サービスの識別や物流情報を
記録した管理用の荷札が数多く利用されている。例えば、特許文献１、２に示されている
ように、基材の一方の面に粘着剤層を設け、該粘着剤層の上に剥離紙を重ね合わせた短冊
状の荷札において、該剥離紙を剥がして、粘着剤層を露出させて、荷物の一部（カバンの
取っ手など）に輪になるように通して、荷札の両端を接着して使用している。
【０００３】
しかし、近年の環境問題が問題となっており、荷札を取付ける作業上で、剥離紙を剥が
して、捨てるために、廃棄物が生じるという問題がある上に、また該剥離紙を剥がして捨
てる作業そのものに時間が掛かるなどの作業性の問題もある。それに対して、特許文献３
には、控え券、管理券及び運送券が一連綴りに連接された荷札において、前記の各券を切
り離しできる切取り線を設け、管理券と運送券の裏面に粘着剤層を設ける一方、控え券の
裏面に剥離性樹脂層を設けて、該剥離性樹脂層が前記粘着剤層と重合するように荷札を二
つ折りして構成する荷札が提案されている。
【０００４】
しかし、上記の荷札を使用する際でも、控え券を切り離す手間が必要であり、未だ作業
性が良いものが実用されていない問題がある。
【特許文献１】実公平７−１６５７号公報
【特許文献２】特開平５−１９７３３９号公報
【特許文献３】実公平２−４５８９３号公報
【発明の開示】
【発明が解決しようとする課題】
【０００５】
したがって、本発明は、粘着剤層を被覆する剥離紙を剥がして捨てることなく、荷札を
取り付ける際に、作業性に何ら問題なく、簡単に取付けることが可能である荷札及び荷札
重合体を提供し、さらに複雑な方法を使用せずに、単純な方法で該荷札重合体を製造でき
る製造方法を提供することを目的とするものである。
【課題を解決するための手段】
【０００６】
上記課題を解決するために、本発明の請求項１の発明は、荷札を取り付けるために両端を接着して輪になるようにして使用する二つの荷札が重合された荷札重合体において、前記二つの荷札を構成するそれぞれの基材の対向する面の両端の位置に、粘着剤層と剥離層が面状に交互に形成されてなるパターンをそれぞれ設け、前記それぞれのパターンは、一方の荷札の粘着剤層と、他方の荷札の剥離層が重合し、かつ、一方の荷札の剥離層と、他方の荷札の粘着剤層が重合してなり、前記それぞれのパターンは基材の端から一定の間隔で設けられていることを特徴とする荷札重合体に関するものである。
【０００７】
請求項２の発明は、前記請求項１に記載の発明において、前記それぞれのパターンは、荷札の長さ方向に平行に形成されていることを特徴とする荷札重合体に関するものである。
【０００８】
請求項３の発明は、前記請求項１に記載の発明において、前記それぞれのパターンは、剥離層と粘着剤層が交互に碁盤目の形状に形成されていることを特徴とする荷札重合体に関するものである。
【０００９】
請求項４の発明は、前記請求項１〜３の何れか一項の発明において、荷札重合体から、二つの荷札を剥がして、分離される荷札において、該荷札がループ状の輪を形成するように、荷札の基材の両端を、前記粘着剤層同士が重合して接着可能であることを特徴とする荷札に関するものである。
【発明の効果】
【００１０】
本発明の荷札重合体は、二つの荷札が重合された構成で、該二つの荷札の両方とも、荷
札を構成する基材の一方の面に、かつ該基材の両端の位置に、粘着剤層と剥離層をパター
ン状に設け、一方の荷札の粘着剤層と、他方の荷札の剥離層が重合し、かつ一方の荷札の
剥離層と、他方の荷札の粘着剤層が重合した構成をとったものである。そして、この荷札
重合体から、二つの荷札を剥がして、分離される荷札を用いて、該荷札がループ状の輪を
形成するように、荷札の基材の両端を、粘着剤層同士が重合するように接着させる。これ
により、カバンの取っ手などの荷物の一部の開口部に、荷札を通して、輪になるように、
荷札の両端を接着して使用できる。この結果、本発明の荷札は、剥離紙を用いていないの
で、粘着剤層を被覆する剥離紙を剥がして捨てることなく、荷札を取り付ける際に、作業
性に何ら問題なく、簡単に取付けることができる。
【００１１】
また、本発明の荷札重合体の製造方法は、荷札Ａと荷札Ｂを丁合する際、一方の荷札の
粘着剤層と、他方の荷札の剥離層を重合させ、かつ一方の荷札の剥離層と、他方の荷札の
粘着剤層を重合させて丁合するものであり、前記荷札Ａの連続基材に、少なくとも一端側
に、丁合装置の搬送部と係合するためのパンチ穴を一定間隔で設け、さらに該荷札Ａの連
続基材に、Ａパターンで剥離層を印刷し、該荷札Ａの供給体を用意し、また前記荷札Ｂの
連続基材に、少なくとも一端側に、丁合装置の搬送部と係合するためのパンチ穴を一定間
隔で設け、さらに該荷札Ｂの連続基材に、Ｂパターンで剥離層を印刷し、該荷札Ｂの供給
体を用意し、次に前記荷札Ａと荷札Ｂのいずれか一方の剥離層の設けられている側の、剥
離層領域の全面に、粘着剤層を塗工し、その後、該荷札Ａと荷札Ｂの両者の剥離層面が対
向するように、かつ両者の剥離層が重ならないように、両者に設けられた前記のパンチ穴
の位置合わせを行なって、該荷札Ａと、該荷札Ｂとを丁合装置で重合させ、その後で、所
定のサイズに裁断して、荷札重合体を製造する方法である。
【００１２】
上記の製造方法をとることにより、荷札Ａと荷札Ｂの各連続した基材に、所定のパター
ンで剥離層を印刷し、さらに剥離層領域の全面に、粘着剤層を塗工して、荷札Ａと荷札Ｂ
の両者の剥離層面が対向するように、その際に、荷札Ａと荷札Ｂに施されたパンチ穴を利
用して、丁合装置の搬送部のピントラクターにおけるピンと、荷札のパンチ穴を係合させ
ながら、荷札Ａと荷札Ｂを、両者の剥離層が重ならないように、丁合装置で重合させるこ
とにより、複雑な方法を使用せずに、単純な方法で荷札重合体を製造できる。その結果、
製造された荷札重合体は、二つの荷札を剥がして、分離すると、基材の両端の位置に、粘
着剤層と剥離層をパターン状に設けられた荷札が２つ形成できる。そして、この２つの荷
札とも、それぞれ荷札が輪になるように、荷札の両端を接着することができる。その接着
部は粘着剤同士が重なった状態となり、剥離層と粘着剤層が重なった状態にはならないか
らである。したがって、この製造された荷札重合体は、本発明の請求項１で規定した荷札
重合体として、適用されるものとなる。
【発明を実施するための最良の形態】
【００１３】
以下、本発明の実施形態について、図面を参照しながら、詳細に説明する。
図１は、本発明の１実施例を示す荷札重合体の断面図である。図示した荷札重合体１は
、荷札Ａと荷札Ｂの二つの荷札が重合されたもので、荷札Ａを構成する基材２の一方の面
で、基材２の両端の位置に、剥離層３がパターン状に設けられ、また荷札Ｂを構成する基
材５の一方の面で、基材５の両端の位置に、剥離層６がパターン状に設けられている。図
示したように、荷札重合体１の両端に、粘着剤層４が荷札Ａと荷札Ｂとの間に形成され、
荷札Ａの剥離層３と、荷札Ｂの粘着剤層４１とが重合し、かつ荷札Ｂの剥離層６と、荷札
Ａの粘着剤層４２とが重合した構成である。図で分かりやすいように、粘着剤層４１と粘
着剤層４２を区別したが、これらは、共通の材料及び方法により形成されたもので、同一
の粘着剤層４である。
【００１４】
図２は、図１で示した荷札重合体１から、荷札Ａと荷札Ｂの二つの荷札を剥がして、分
離された荷札Ａと荷札Ｂの構成を示す断面図である。荷札Ａの基材２には、剥離層３１、
３２、３３が左端側に、また剥離層３４、３５、３６が右端側に設けられ、また荷札Ａの
基材２の左側で、剥離層３１と３２の間に、粘着剤層４１１が形成され、剥離層３２と３
３の間に、粘着剤層４１２が形成され、剥離層３３の右隣に粘着剤層４１３が形成されて
いる。また同様に、荷札Ａの基材２の右側で、剥離層３５と３６の間に、粘着剤層４１６
が形成され、剥離層３４と３５の間に、粘着剤層４１５が形成され、剥離層３４の左隣に
粘着剤層４１４が形成されている。荷札Ｂについても、荷札Ａと同様な構成をとっている
。但し、剥離層と粘着剤層の位置関係が逆になっている点が異なるものである。
【００１５】
図３は、図２で示した荷札Ａを、カバンの取っ手２０の開口部に、荷札Ａを通して、輪
になるように、荷札Ａの両端を接着して使用した例を示す説明図である。荷札Ａの両端を
接着させた部分の拡大図で示すように、剥離層３１と剥離層３６が重なるように、また粘
着剤層４１１が粘着剤層４１６と重なるように、荷札Ａの両端を、粘着剤層同士が接して
、接着させるものである。この際に、荷札Ａの両端において、図２に示すように、剥離層
３１の端から基材２の左端までの距離ａと、剥離層３６の端から基材２の右端までの距離
ｂを等しいように設定することで、荷札Ａを丸めて、輪にして両端を接着する時、荷札Ａ
の両端同士の端面を合わせるだけで、上記に示す剥離層同士及び粘着剤層同士が重なるよ
うに位置合わせを、簡単に行なうことができる。
【００１６】
図１〜３で示す荷札あるいは荷札重合体の実施例について、以下に説明する。
荷札で使用される基材２、５としては、荷物の一部の開口部に荷札を通して、輪になる
ように、荷札Ａの両端を接着して使用されるが、その使用に耐えうるものであれば、材料
として限定されるものではない。基材は、例えばポリオレフィン（ポリエチレン、ポリプ
ロピレンなど）、ポリスチレン、ポリカーボネート、ポリエチレンテレフタレート、ポリ
塩化ビニル、ポリメタクリレート等の各種のプラスチックフィルムまたはシート等が使用
できる。
【００１７】
また、これらの合成樹脂に白色顔料や充填剤を加えて成膜した白色不透明フィルム、あ
るいは基材内部に微細空隙（ミクロボイド）を有するフィルム（いわゆる合成紙）等も使
用できる。また、上記基材の任意の組合せによる積層体も使用できる。本発明の荷札で使
用される基材の厚みは任意でよく、例えば、１０〜３００μｍ程度の厚みが一般的である
。
【００１８】
本発明の荷札に設けられる剥離層３、６としては、シリコーン樹脂やフッ素系樹脂、ポ
リエチレンワックス等の離型性樹脂を有機溶剤等により、溶解あるいは分散させた塗工液
を用意し、フレキソ印刷、グラビア印刷等で基材上に、パターン上に形成することができ
る。また、紫外線硬化型インキにシリコーンオイルや、シリコーンアクリレートを添加して、凸版印刷やオフセット印刷により、基材上に、パターン上に、剥離層を形成すること
もできる。剥離層の厚さとしては、通常は乾燥後の固形分で、０．５〜１０ｇ／ｍ２であ
る。
【００１９】
本発明の荷札で使用される粘着剤層は、従来から知られた各種の粘着剤を使用して形成
することができるが、実用上、感圧性粘着剤を用いることが好ましい。例えば、アクリル
系樹脂、天然ゴム系樹脂、合成ゴム系樹脂、シリコーン系樹脂等からなる水性タイプまた
は溶剤系タイプの塗工液を用いて印刷し、粘着剤層を形成できる。その印刷方法は、フレ
キソ印刷法、グラビア印刷法などの一般的な方法で、荷札の剥離層領域に全面（ベタ）で
印刷して、粘着剤層を形成する。その粘着剤層の厚さは、０．１〜５０ｇ／ｍ２（乾燥後
の固形分）が好ましい。
【００２０】
荷札の剥離層、粘着剤層が形成されている面と反対側には、図では示していないが、荷
物などを運ぶ際に、各種サービスの識別や物流情報を記録するための情報や記録が施され
る。その情報や記録は、オフセット印刷、グラビア印刷、シルクスクリーン印刷などの公
知の印刷法で形成したり、また、熱転写記録や、インクジェット記録などのノンインパク
ト記録、あるいはドットインパクト記録等で、印字することで形成することができる。
【００２１】
以上に説明した荷札は、剥離紙を用いていないので、粘着剤層を被覆する剥離紙を剥が
して捨てることなく、ゴミが発生しないものであった。また荷札を取り付ける際に、荷札
重合体から、二つの荷札を剥がし、分離した荷札をループ状の輪を形成するように、荷札
の基材の両端を、粘着剤層同士が重合して接着するようにするだけで、作業性に何ら問題
なく、簡単に取付けることができた。
【００２２】
本発明の荷札重合体の製造方法の実施例について、図４、５、６を使用して、以下に説
明する。図４（１）に示すように、荷札Ａの連続基材１１を巻取１２で供給し、該連続基
材１１に、印刷ユニット１３にて、Ａパターンで剥離層を印刷し、続けて、連続基材１１
の両端面側に、パンチ穴加工部１４にて、０．５インチ間隔で、パンチ穴を連続して形成
し、荷札Ａの供給体１５を作製する。また図４（２）の場合でも、荷札Ｂの連続基材１１
´を巻取１２´で供給し、該連続基材１１´に、印刷ユニット１３´にて、Ｂパターンで
剥離層を印刷し、続けて、連続基材１１´の両端面側に、パンチ穴加工部１４´にて、０
．５インチ間隔で、パンチ穴を連続して形成し、荷札Ｂの供給体１５´を作製する。
【００２３】
図４で示されたような荷札Ｂの供給体１５´と、荷札Ａの供給体１５を使用して、図５
に示す製造装置５０（丁合装置でもある）で、荷札重合体１を製造することができる。荷
札Ｂの供給体１５´を、図５で示す製造装置（丁合装置）の第１給紙部２１に設置して、
搬送、供給させ、荷札Ｂの剥離層の設けられている側の、剥離層領域の全面に、粘着剤印
刷ユニット１６にて、粘着剤層を塗工、印刷し、その後、第２給紙部２２に設置してある
荷札Ａの供給体１５を送り出して、荷札Ａと荷札Ｂの両者の剥離層面が対向するように、
荷札Ａと、該荷札Ｂとを重合させ、丁合する。その際に、荷札Ａと荷札Ｂの両者の剥離層
が重ならないように、両者に設けられたパンチ穴を、搬送部であるピントラクター１８の
ピンに係合させて、位置合わせを行なう。
【００２４】
但し、荷札Ａと、荷札Ｂは、それぞれ図４で示すような装置で、パンチ穴加工と、剥離
層印刷が施されるが、荷札Ａ及び荷札Ｂは、いずれもパンチ穴加工部と剥離層印刷部の位
置が設定値になるように、正確に加工、印刷していることが前提である。それにより、荷
札Ａ及び荷札Ｂのパンチ穴の位置を合わせて丁合することで、結果として、荷札Ａと荷札
Ｂの両者の剥離層が重ならないものとなる。
【００２５】
また、荷札Ａと荷札Ｂが粘着剤層により、重合した後、圧着ユニット１９にて、その荷札重合体を圧着して、荷札Ａと荷札Ｂの接着性を高める。その後に、裁断ユニット１７に
て、長尺の連続した荷札重合体を、図１に示すようなシート状の荷札重合体１になるよう
に、裁断（シートカット）を行なう。その結果、シート状の荷札重合体１が多数枚作成す
ることができる。
【００２６】
図６に、荷札Ａと荷札Ｂとが重ねられた荷札重合体で、荷札Ａと荷札Ｂを剥がして、分
離された状態を示す概略平面図である。この場合は、荷札Ａと荷札Ｂは、幅方向にストラ
イプ状に一定の間隔で、３本の剥離層が形成されている。すなわち、荷札Ａでは、剥離層
３１、剥離層３２、剥離層３３が形成されて、言い換えれば、Ａパターンで剥離層が荷札
Ａに印刷されたものである。また荷札Ｂでは、剥離層３７、剥離層３８、剥離層３９が形
成されて、言い換えれば、Ｂパターンで剥離層が荷札Ｂに印刷されたものである。また、
図６で破線の斜め線で示した部分が、剥離層領域Ｃであり、荷札Ｂの幅ｄで、長さｃで示
す領域であり、言い換えると、荷札重合体の形態では、荷札の全幅で、荷札Ａの剥離層３
１の端から、荷札Ｂの剥離層３９の端までの長さの領域である。
【００２７】
図６に示す平面図は、図２で示す荷札Ａと荷札Ｂの構成を示す断面図に対応するもので
ある。図６に示すように、荷札Ｂの剥離層の設けられている側の、剥離層領域Ｃの全面に
、粘着剤層を塗工して、荷札Ａと荷札Ｂの両者の剥離層面が対向するように、重合させる
。そして、その荷札重合体から、荷札Ａと荷札Ｂの二つの荷札を剥がすと、図２に示す荷
札Ａと荷札Ｂの構成になる。すなわち、荷札重合体における荷札Ａの剥離層３１の上にあ
った粘着剤層４１７は、荷札Ａから分離して、荷札Ｂ側に残る。また、荷札重合体におけ
る荷札Ｂの剥離層３７の上にあった粘着剤層４１１は、荷札Ｂから分離して、荷札Ａ側に
残る。他の剥離層３２、３３の場合も、上記の剥離層３１と粘着剤層４１７とが剥離する
と同様に、分離する。また、他の剥離層３８、３９の場合も、上記の剥離層３７と粘着剤
層４１１とが剥離すると同様に、分離する。
【００２８】
また、図７に、本発明の荷札で適用される粘着剤層と剥離層のパターンの変形例を示す
概略図である。図７（１）に示す荷札Ａと荷札Ｂは、各荷札を構成する基材の一方の面に
、かつ該基材の両端の位置に、粘着剤層４１、４２と剥離層３、６をパターン状に設け、
荷札Ａの粘着剤層４２と、荷札Ｂの剥離層６が重合し、かつ荷札Ａの剥離層３と、荷札Ｂ
の粘着剤層４１が重合する形態である。この場合は、荷札の端の位置で、長さ方向に平行
に、剥離層と粘着剤層が形成されている。
【００２９】
また、図７（２）に示す荷札Ａと荷札Ｂは、各荷札を構成する基材の一方の面に、かつ
該基材の両端の位置に、粘着剤層４１、４２と剥離層３、６をパターン状に設け、荷札Ａ
の粘着剤層４２と、荷札Ｂの剥離層６が重合し、かつ荷札Ａの剥離層３と、荷札Ｂの粘着
剤層４１が重合する形態である。この場合は、荷札の端の位置で、剥離層と粘着剤層が交
互に、碁盤目の形状で形成されている。
【００３０】
以上に説明した荷札重合体の製造方法によれば、複雑な製造方法を使用せずに、単純な
方法で荷札重合体を製造することができた。またその製造方法により得られた荷札重合体
及び荷札は、前記で説明したような発明の効果を発揮できるものであった。
【図面の簡単な説明】
【００３１】
【図１】本発明の１実施例を示す荷札重合体の断面図である。
【図２】図１で示した荷札重合体から、荷札Ａと荷札Ｂの二つの荷札を剥がして、分離された荷札Ａと荷札Ｂの構成を示す断面図である。
【図３】図２で示した荷札Ａを、カバンの取っ手２０の開口部に、荷札Ａを通して、輪になるように、荷札Ａの両端を接着して使用した例を示す説明図である。
【図４】本発明の荷札重合体の製造方法で適用される、剥離層印刷とパンチ穴加工を説明する概略図である。
【図５】本発明の荷札重合体の製造方法で適用される、粘着剤層印刷と、二つの荷札を重合して、丁合工程を説明する概略図である。
【図６】荷札Ａと荷札Ｂとが重ねられた荷札重合体で、荷札Ａと荷札Ｂを剥がして、分離された状態を示す概略平面図である。
【図７】本発明の荷札で適用される粘着剤層と剥離層のパターンの変形例を示す概略図である。
【符号の説明】
【００３２】
１    荷札重合体
２    基材
３    剥離層
４    粘着剤層
５    基材
６    剥離層
２０    カバンの取っ手
３１、３２、３３、３４、３５、３６    剥離層
４１、４２    粘着剤層
４１１、４１２、４１３、４１４、４１５、４１６    粘着剤層
【図１】
0005522301.tif 000002
【図２】
0005522301.tif 000003
【図３】
0005522301.tif 000004
【図４】
0005522301.tif 000005
【図５】
0005522301.tif 000006
【図６】
0005522301.tif 000007
【図７】
0005522301.tif 000008